(57)【要約】【課題】  空気調和機を大型化することなく、フィルターの清掃を行うことができ、且つ、フィルターに付着した塵埃を確実に除去することが可能なフィルター清掃機構及び、このフィルター清掃機構を備えた空気調和機を提供する。【解決手段】  フィルター２とフィルター２の外周囲を保持する枠体３より成るフィルター体１と、フィルター体１を長手方向に移動可能とする駆動装置４と、回転清掃体５及び集塵室６を有し、フィルター体１を清掃する清掃ユニット７を備えたフィルター清掃機構１０において、フィルター体１の長手方向の一方の端部近傍に清掃ユニット７を設置すると共に、清掃ユニット７を通過したフィルター体１を、フィルター体１の清掃面を外側にしつつ、３回以上屈曲させて収容するフィルター体収容部８を設けた。【選択図】図５
2017101853.tif 000002
【特許請求の範囲】
【請求項１】
多数の細孔を有するフィルターと該フィルターの外周囲を保持する枠体より成る塵埃捕集用のフィルター体と、
前記フィルター体を長手方向に移動可能とする駆動装置と、
回転清掃体及び集塵室を有し、前記フィルター体を清掃する清掃ユニットを備えたフィルター清掃機構において、
前記フィルター体の長手方向の一方の端部近傍に前記清掃ユニットを設置すると共に、前記清掃ユニットを通過した前記フィルター体を、該フィルター体の清掃面を外側にしつつ、３回以上屈曲させて収容するフィルター体収容部を設けたことを特徴とするフィルター清掃機構。
【請求項２】
フィルター体収容部に収容されたフィルター体は、該フィルター体の一方の端部と他方の端部とが近接した状態で収容されていることを特徴とする請求項１に記載のフィルター清掃機構。
【請求項３】
回転清掃体は、フィルターの一方の面側に設置されているものであって、該回転清掃体と対向する位置の前記フィルターの他方の面側に、該フィルターの他方の面に摺接するように弾性部材が設置されていることを特徴とする請求項１又は２に記載のフィルター清掃機構。
【請求項４】
吸込み口と排気口を有する本体と、
該本体に形成され、前記吸込み口と前記排気口とを連通する通過風路と、
室内の浮遊塵埃を含む外気を前記吸込み口から吸引し前記排気口から排出する送風機と、
請求項１〜３のいずれか１項に記載のフィルター清掃機構を備えた空気調和機。
【発明の詳細な説明】
【技術分野】
【０００１】
本発明は、エアフィルターの自動清掃を行うフィルター清掃機構と、このフィルター清掃機構を備えた空気調和機に関するものである。
【背景技術】
【０００２】
従来から、様々な構造のフィルター清掃機構を備えた空気調和機が開発されており、その一つとして、吸入口から吸入される空気中に含まれる塵埃を捕集するフィルターを吸入口に対向する正位置から待避位置へ移動させる際に、フィルターに捕集された塵埃をフィルターから除去する機能を有する空気調和機であって、フィルターに捕集された塵埃を除去するブラシと、フィルターを正位置から待避位置へ移動させるローラと、正位置にあるフィルターを、ローラの外周に沿って湾曲させた後にローラの外周から離れる方向に湾曲させて待避位置に移動するように案内するガイド部材を備えたものが知られている（特許文献１）。
【０００３】
また、吸引される空気内の塵埃を捕捉するフィルターと、空気調和機本体と、フィルターの吸込み上流側の表面に沿って回転しながら移動して、フィルターに付着した塵埃を除去する回転清掃体と、フィルターから除去された塵埃を貯留するダストボックスとから構成された空気調和機が知られている（特許文献２）。
【先行技術文献】
【特許文献】
【０００４】
【特許文献１】特開２０１０−２５５９５５号公報
【特許文献２】特許第５２９４４４０号公報
【発明の概要】
【発明が解決しようとする課題】
【０００５】
しかしながら、上記特許文献１に記載された空気調和機は、フィルターを待避位置へ移動させる際に、フィルターの塵埃が付着している上流側を内側にして湾曲させているので、ブラシにより除去できなかった塵埃は、内側に湾曲するフィルターによって圧縮され、フィルターに付着した状態で固まってしまうという課題を有していた。
【０００６】
また、上記特許文献２に記載された空気調和機は、フィルターの上流側に回転清掃体を移動させる空間を設けなければならず、空気調和機を大型化させる一因となっていた。
【０００７】
本発明は、前記従来の課題を解決するもので、空気調和機を大型化することなく、フィルターの清掃を行うことができ、且つ、フィルターに付着した塵埃を確実に除去することが可能なフィルター清掃機構及び、このフィルター清掃機構を備えた空気調和機を提供することを目的とする。
【課題を解決するための手段】
【０００８】
前記従来の課題を解決するために、請求項１の発明は、多数の細孔を有するフィルターと該フィルターの外周囲を保持する枠体より成る塵埃捕集用のフィルター体と、前記フィルター体を長手方向に移動可能とする駆動装置と、回転清掃体及び集塵室を有し、前記フィルター体を清掃する清掃ユニットを備えたフィルター清掃機構において、前記フィルター体の長手方向の一方の端部近傍に前記清掃ユニットを設置すると共に、前記清掃ユニットを通過した前記フィルター体を、該フィルター体の清掃面を外側にしつつ、３回以上屈曲させて収容するフィルター体収容部を設けたことを特徴としている。
【０００９】
本発明のフィルター清掃機構は、フィルター体の清掃面を外側にした状態で屈曲させてフィルター体収容部に収容しているので、フィルターに残存する塵埃が固まるのを防ぎ、確実に除去することができる。また、フィルター体を３回以上屈曲させてフィルター体収容部に収容しているので、フィルター清掃機構を大型化させることなく、コンパクトな形状とすることができる。
【００１０】
請求項２の発明は、請求項１の発明において、フィルター体収容部に収容されたフィルター体は、該フィルター体の一方の端部と他方の端部とが近接した状態で収容されていることを特徴としている。したがって、フィルター清掃機構を大型化させることなく、一層コンパクトな形状とすることができる。
【００１１】
請求項３の発明は、請求項１又は２の発明において、回転清掃体は、フィルターの一方の面側に設置されているものであって、該回転清掃体と対向する位置の前記フィルターの他方の面側に、該フィルターの他方の面に摺接するように弾性部材が設置されていることを特徴としている。したがって、フィルター清掃時に回転清掃体とフィルターを確実に接触させることができる。
【００１２】
請求項４の発明は、空気調和機の発明であって、吸込み口と排気口を有する本体と、該本体に形成され、前記吸込み口と前記排気口とを連通する通過風路と、室内の浮遊塵埃を含む外気を前記吸込み口から吸引し前記排気口から排出する送風機と、請求項１〜３のいずれか１項に記載のフィルター清掃機構を備えたことを特徴としている。したがって、空気調和機を大型化させることなく、コンパクトな形状とすることができると共に、フィルターに残存する塵埃が固まるのを防ぎ、確実に除去することができる。
【発明の効果】
【００１３】
請求項１の発明は、フィルターに残存する塵埃が固まるのを防ぎ、確実に除去することができる。また、フィルター清掃機構を大型化させることなく、コンパクトな形状とすることができる。
【００１４】
請求項２の発明は、フィルター清掃機構を大型化させることなく、一層コンパクトな形状とすることができる。
【００１５】
請求項３の発明は、フィルター面に摺接する弾性部材によってフィルター清掃時に回転清掃体とフィルターを確実に接触させることができる。
【００１６】
請求項４の発明は、空気調和機を大型化させることなく、コンパクトな形状とすることができると共に、フィルターに残存する塵埃が固まるのを防ぎ、確実に除去することができる。
【図面の簡単な説明】
【００１７】
【図１】（ａ）本発明に係る空気調和機を正面方向から視た斜視図（ｂ）本発明に係る空気調和機を背面方向から視た斜視図
【図２】本体カバーを取り外した状態の本発明に係る空気調和機を背面方向から視た斜視図
【図３】（ａ）清掃ユニット及びフィルター体を取り外した状態の本発明に係るフィルター清掃機構を示す斜視図（ｂ）同正面図
【図４】本発明に係るフィルター清掃機構を示す斜視図
【図５】図４のＡ−Ａ断面図
【図６】図５の一部拡大断面図
【図７】フィルター体の清掃中の状態を示す一部拡大断面図
【図８】フィルター体の清掃後の状態を示す一部拡大断面図
【発明を実施するための形態】
【００１８】
図１（ａ）は、本発明に係る空気調和機を正面方向から視た斜視図であり、図１（ｂ）は、本発明に係る空気調和機を背面方向から視た斜視図である。また、図２は、本体カバーを取り外した状態の本発明に係る空気調和機を背面方向から視た斜視図である。これらの図を用いて本発明に係る空気調和機の概要について説明する。
【００１９】
本発明に係る空気調和機２０は、吸込み口１１と排気口１２ａ、１２ｂを有する本体１３と、本体１３に形成され、吸込み口１１と排気口１２ａ、１２ｂとを連通する通過風路１４と、室内の浮遊塵埃を含む外気を吸込み口１１から吸引して排気口１２ａ、１２ｂから排出する送風機（図示せず）と、フィルター清掃機構１０とを備えている。また、本体１３の両側面近傍には、通過風路１４を構成する通気口１４ａが形成されている。
【００２０】
本体１３は、本体カバーＡ１３ａと、この本体カバーＡ１３ａに対して着脱自在な本体カバーＢ１３ｂとを備えており、本体カバーＡ１３ａの正面側には、排気口１２ａ、１２ｂが形成されている。また、本体カバーＡ１３ａの背面側の中央には、本体カバーＢ１３ｂが着脱自在に取り付けられており、本体カバーＢ１３ｂには、取っ手１５と、吸込み口１１とが形成されている。そして、本体カバーＢ１３ｂを取り外すことによって、フィルター体１を掃除機等によって清掃することを可能としている。
【００２１】
本発明に係る空気調和機２０は、前述のように構成されており、吸込み口１１から吸引された室内の浮遊塵埃を含む外気は、フィルター清掃機構１０によって塵埃が取り除かれた後、両側の通気口１４ａを経て、排気口１２ａ、１２ｂより排出される。
【００２２】
図３（ａ）は、清掃ユニット及びフィルター体を取り外した状態の本発明に係るフィルター清掃機構を示す斜視図であり、図３（ｂ）は、同正面図である。また、図４は、本発明に係るフィルター清掃機構を示す斜視図であり、図５は、図４のＡ−Ａ断面図である。これらの図を用いて本発明に係るフィルター清掃機構の詳細について説明する。
【００２３】
フィルター清掃機構１０は、多数の細孔を有するフィルター２とフィルター２の外周囲を保持する枠体３より成る塵埃捕集用のフィルター体１と、フィルター体１を長手方向に移動可能とする駆動装置４と、回転清掃体５及び集塵室６を有し、フィルター体１を清掃する清掃ユニット７と、フィルター体収容部８と、フィルター体設置部１６とを備えている。
【００２４】
清掃ユニット７は、フィルター体１の長手方向の一方の端部１ａ近傍に設置されており、清掃ユニット７を通過したフィルター体１は、フィルター体収容部８に収容される。このフィルター体収容部８は、フィルター体１の清掃面を外側にしつつ、４回屈曲させた状態でフィルター体１を収容している。これにより、フィルター体１は清掃面側を広げながら収容されるため、フィルター２に残存する塵埃が固まるのを防ぎ、確実に除去することができる。また、フィルター体１を４回屈曲させてフィルター体収容部８に収容できるので、フィルター清掃機構１０を大型化させることなく、コンパクトな形状とすることができる。尚、本実施形態では、フィルター体収容部８において、フィルター体１を４回屈曲させて収容できるが、３回以上屈曲させて収容するものであれば本発明に含まれる。なお、本実施例における屈曲とは、フィルター体１が屈曲する前後箇所に直線状のフィルター体収容部８が形成されていることを意味する。
【００２５】
回転清掃体５は、フィルター２の一方の面側に設置されているものであって、回転清掃体５と対向する位置のフィルター２の他方の面側に、フィルター２の他方の面に摺接するように弾性部材９が設置されている。この弾性部材９と回転清掃体５でフィルター体１を挟み込みながら清掃するため、フィルター２が撓んでいても確実に回転清掃体５で清掃することができる。尚、弾性部材９は、ローラーの外周にスポンジを巻き付けた構成としており、この弾性部材９の両端に駆動装置４を構成するギヤ４ａが形成されている。ギヤ４ａは、フィルター体１を構成する枠体３の長手方向に沿った両端部に形成されているラック（図示せず）と噛合っている。これにより、ギヤ４ａを正回転又は逆回転させることによって、フィルター体１は、フィルター体設置部１６とフィルター体収容部８の間を移動可能な構成としている。また、ギヤ４ａを回転させると弾性部材９も回転する構成としている。尚、駆動装置４の駆動は、制御装置（図示せず）によって制御されている。このように弾性部材９が回転する構成とした場合、弾性部材９の摩擦力によってフィルター体１の移動を補助することができる。
【００２６】
図６は、図５の一部拡大断面図であり、図７は、フィルター体の清掃中の状態を示す一部拡大断面図である。また、図８は、フィルター体の清掃後の状態を示す一部拡大断面図である。これらの図を用いて本発明に係るフィルター清掃機構の動作について説明する。
【００２７】
フィルター体１の清掃前は、フィルター体１の長手方向の一方の端部１ａの近傍が、回転清掃体５と弾性部材９に挟持されるようにして設置されている。そして、駆動装置４を駆動させることによって、駆動装置４を構成するギヤ４ａが正回転（図面上、時計回りに回転）すると共に、回転清掃体５が正回転（図面上、時計回りに回転）し、図７に示すように、フィルター体１の端部１ａ側は、フィルター体１の清掃面を外側にしつつ、フィルター収容部８の第１屈曲部Ａ及び第２屈曲部Ｂで屈曲されて移動していく。そして、図８に示すように、フィルター体１の端部１ａ側がフィルター体１の清掃面を外側にしつつ、フィルター収容部８の第３屈曲部Ｃ及び第４屈曲部Ｄで屈曲されて移動し、終点Ｅに到達すると駆動装置４を構成するギヤ４ａの正回転が停止する。この時点では、フィルター体１の他方の端部１ｂの近傍が、回転清掃体５と弾性部材９に挟持されるようにして設置されている。図８に示すように、フィルター体収容部８に収容されたフィルター体１は、フィルター体１の一方の端部１ａと他方の端部１ｂとが近接した状態で収容されている。これにより、フィルター清掃機構１０を大型化させることなく、一層コンパクトな形状とすることができる。
【００２８】
そして、清掃後に駆動装置４を構成するギヤ４ａを逆回転（図面上、反時計回りに回転）させると共に、回転清掃体５を逆回転（図面上、反時計回りに回転）させるとフィルター体１の他方の端部１ｂ側がフィルター体設置部１６方向に移動していく。このような、フィルター体１がフィルター体設置部１６に移動する復路においても、フィルター２は回転清掃体５で清掃される。この時、フィルター体１は清掃面を外側にして屈曲した後に清掃されているため、フィルター２に付着した塵埃は広げられて剥離しやすい状態となり、回転清掃体５で確実に除去できる。このようにフィルター体１の清掃面を外側にして屈曲することで、往路で除去できなかった塵埃も復路で確実に除去できるようになる。
【００２９】
尚、回転清掃体５の近傍には、断面Ｙ字状の除塵体１７が回動可能に設置されている。この除塵体１７は、先端部が分岐して２本の刃１７ａ、１７ｂが形成されており、除塵体１７の根元端部を中心に揺動可能となっている。回転清掃体５の正回転時（図面上、時計回りの回転時）には、除塵体１７の刃１７ａが回転清掃体５にくい込むように当接して回転清掃体５に付着している塵埃を除去する。そして、回転清掃体５が逆回転（図面上、反時計回りの回転）し始めると、回転清掃体５にくい込んだ刃１７ａが抵抗となって除塵体１７が揺動し、回転清掃体５から刃１７ａが離れると同時に刃１７ｂが回転清掃体５に当たるようになる。こうして、回転清掃体５の逆回転時には、除塵体１７の刃１７ｂが回転清掃体５にくい込むように当接して回転清掃体５に付着している塵埃を除去する。そして除去された塵埃は、集塵室６に落下して収容される。
【産業上の利用可能性】
【００３０】
本発明に係るフィルター清掃機構は、フィルターに付着した塵埃を確実に除去することができ、家庭用、業務用の各種空気調和機は勿論、空気清浄機、換気装置などエアフィルターを有する各種機器に適用できるものである。
【符号の説明】
【００３１】
１  フィルター体
１ａ、１ｂ  端部
２  フィルター
３  枠体
４  駆動装置
５  回転清掃体
６  集塵室
７  清掃ユニット
８  フィルター体収容部
９  弾性部材
１０  フィルター清掃機構
１１  吸込み口
１２ａ、１２ｂ  排気口
１３  本体
１３ａ  本体カバーＡ
１３ｂ  本体カバーＢ
１４  通過風路
１４ａ  通気口
１５  取っ手
１６  フィルター体設置部
１７  除塵体
１７ａ、１７ｂ  刃
２０  空気調和機
Ａ  第１屈曲部
Ｂ  第２屈曲部
Ｃ  第３屈曲部
Ｄ  第４屈曲部
Ｅ  終点
【図１】
2017101853.tif 000003
【図２】
2017101853.tif 000004
【図３】
2017101853.tif 000005
【図４】
2017101853.tif 000006
【図５】
2017101853.tif 000007
【図６】
2017101853.tif 000008
【図７】
2017101853.tif 000009
【図８】
2017101853.tif 000010